(57)【要約】【課題】ファイル収納箱において、ファイルホルダ支持部の耐荷重性を向上するとともに、収納箱本体そのものの型くずれを防止する。【解決手段】二つ折シート状のファイルホルダ本体７ａの見開き両縁部に沿って、一対の吊下げ用バー８を設けたファイルホルダ７と、前記ファイルホルダ７を、吊下げ状態に収容する上面開口した有底角筒形の収納箱本体２と、前記収納箱本体２の開口縁に沿って設けられるプラスチック若しくは金属製のフレーム枠１０とを備え、前記フレーム枠１０の対向両側に位置する横枠５の内側部に前記吊下げ用バー８の両端を設置状態に支持する支持枠部５ｂを一体に形成した。【選択図】      図１
0003121434.tif 000002
【実用新案登録請求の範囲】
【請求項１】
二つ折シート状のファイルホルダ本体（７ａ）の見開き両縁部に沿って、一対の吊下げ用バー（８）を設けたファイルホルダ（７）と、
前記ファイルホルダ（７）を、吊下げ状態に収容する上面開口した有底角筒形の収納箱本体（２）と、
前記収納箱本体（２）の開口縁に沿って設けられるプラスチック若しくは金属製のフレーム枠（１０）とを備え、
前記フレーム枠（１０）の対向両側に位置する横枠（５）の内側部に前記吊下げ用バー（８）の両端を設置状態に支持する支持枠部（５ｂ）を一体に形成したことを特徴とするファイル収納箱。
【請求項２】
前記収納箱本体（２）の開口縁の４周には折り返し部（２ａ）が形成されるとともに、収納箱本体（２）の一側縁に形成された前記折り返し部（２ａ）の外縁には、蓋体（３）が開閉可能に一体化されて形成されていることを特徴とする請求項１に記載のファイル収納箱。
【請求項３】
前記収納箱本体及び蓋体が、厚さ方向の中間に発泡樹脂層を有する複合シート材料から構成されていることを特徴とする請求項１又は２に記載のファイル収納箱。
【請求項４】
前記フレーム枠（１０）は、前記収納箱本体（２）の開口縁に沿って設けられるプラスチック若しくは金属製の略口枠型の枠形状をなし、その対向両側に位置する横枠（５）と他の対向両側に位置する縦枠（４）が押出成形による略棒状の部材により形成され、横枠（５）と縦枠（４）の接合コーナー部分が、直角折り曲げ状に成形されたプラスチック製コーナー部材（６）の両端部に開口形成された嵌合部（５ａ）に挿通されて接合され、両横枠（５）の内側部に前記吊下げ用バー（８）の両端を設置状態に支持する支持枠部（５ｂ）が一体に形成されていることを特徴とする請求項１乃至３のいずれか１項に記載のファイル収納箱。
【請求項５】
前記コーナー部材（６）の底面には、前記収納箱本体（２）の開口縁に折り曲げ形成された前記折り返し部（２ａ）部に嵌合される直角溝状の嵌合部（６ａ）が形成されていることを特徴とする請求項４に記載のファイル収納箱。
【請求項６】
前記フレーム枠（１０）は、前記収納箱本体（２）の開口縁に沿って設けられるプラスチック若しくは金属製の略コ枠型の枠形状をなし、その対向両側に位置する横枠（５）の内側部に、前記吊下げ用バー（８）の両端を設置状態に支持する支持枠部（５ｂ）が一体に形成されていることを特徴とする請求項１乃至３のいずれか１項に記載のファイル収納箱。
【請求項７】
前記支持枠部（５ｂ）は、前記対向両側に位置する横枠（５）の内側部に略Ｌ形に一体に形成されていることを特徴とする請求項１乃至６のいずれか１項に記載のファイル収納箱。
【考案の詳細な説明】
【技術分野】
【０００１】
本考案は、ファイルホルダを保管するためのファイル収納箱に関し、特に耐久性向上のための技術に関する。
【背景技術】
【０００２】
各種ファイルを整理して保管するための手段の１つに、吊下げ式ファイルホルダ及びファイル収納箱がある。
【０００３】
ファイルホルダは、下記特許文献１に示すように、二つ折りシート状をなし、その両側開口縁に吊下げ用のバーを一体化したもので、各種ファイルをその内部に収装するとともに、吊下げ用バーのシートからの両側突出端を支持部に係止して吊下げ式に保持するもので、当該ファイルの項目、分類などを記入したタグをバー上に突設することにより、その項目や分類を一目で理解できるようにしている。
【０００４】
また、ファイル収納箱は下記特許文献２に示すように、上面開口した有底角筒型をなし、その上部開口を蓋体により開閉可能とし、かつ長手方向両端内側には前記吊下げ用バーの両端を吊下げ係止するための一対の支持部材を設け、複数のファイルホルダをファイル収納箱内部に吊下げ状態に収納するものである。
【０００５】
そして、ファイル収納箱を大分類とし、この内部に収納されるファイルホルダを小分類とすることにより、各ファイルを項目別、分類別に整理して保管できるようになっている。
【特許文献１】特許第２９９３７５０号
【特許文献２】特開平１１−３４２６８９号公報
【考案の開示】
【考案が解決しようとする課題】
【０００６】
しかしながら、前記構造のファイル収納箱においては、収納箱及び支持部材ともに硬質紙をその展開形状から折畳みにより箱形に立体造形した成形体であるため、耐久性に劣るものとなっていた。
【０００７】
特に支持部材の場合には、収納されるファイル枚数によりファイルホルダが重くなったり、ファイルホルダの収納数が多くなると、その荷重によりへたり込んでしまい、支持部材としての用をなさなくなるほか、収納箱そのものも何回か開閉を繰返すことにより、型くずれを起しやすい欠点があった。
【０００８】
本考案は、以上の課題を解決するものであって、その目的とするところは、この種ファイル収納箱において、ファイルホルダ支持部の耐荷重性を向上するとともに、収納箱本体そのものの型くずれを防止できるようにしたファイル収納箱を提供するものである。
【課題を解決するための手段】
【０００９】
前記目的を達成するため本考案のファイル収納箱１は、二つ折シート状のファイルホルダ本体７ａの見開き両縁部に沿って、一対の吊下げ用バー８を設けたファイルホルダ７と、前記ファイルホルダ７を、吊下げ状態に収容する上面開口した有底角筒形の収納箱本体２と、前記収納箱本体２の開口縁に沿って設けられるプラスチック若しくは金属製のフレーム枠１０とを備え、前記フレーム枠１０の対向両側に位置する横枠５の内側部に前記吊下げ用バー８の両端を設置状態に支持する支持枠部５ｂを一体に形成したことを特徴としている。
【００１０】
前記収納箱本体２の開口縁の４周には、内方又は外方に折り返し部２ａが形成されるとともに、収納箱本体２の一側縁に形成された前記折り返し部２ａの外縁には、蓋体３が開閉可能に一体化されて形成されている。
【００１１】
前記収納箱本体２及び蓋体３が、厚さ方向の中間に発泡樹脂層を有する複合プラスチックシート材料から構成することが望ましい。
このような複合シート材料を用いることにより、耐久性に優れる。
【００１２】
前記フレーム枠１０は、前記収納箱本体２の開口縁に沿って嵌合固定されて設けられるプラスチック若しくは金属製の略口枠型の枠形状をなし、その対向両側に位置する横枠５と他の対向両側に位置する縦枠４が押出成形による略棒状の部材により形成される。また、横枠５と縦枠４の接合コーナー部分が、直角折り曲げ状に成形されたプラスチック製コーナー部材６により直角に着脱自在に結合される。横枠５と縦枠４の接合コーナー部分の端部が、コーナー部材６の両端部に開口形成された嵌合部５ａに挿通されて接合され、両横枠５の内側部に前記吊下げ用バー８の両端を設置状態に支持する支持枠部５ｂが一体に形成されている。
【００１３】
前記コーナー部材６の底面には、前記収納箱本体２の開口縁に折り曲げ形成された前記折り返し部２ａ部に嵌合される直角溝状の嵌合部６ａが形成されている。
【００１４】
前記フレーム枠１０は、前記収納箱本体２の開口縁に沿って設けられるプラスチック若しくは金属製の略コ枠型の枠形状としてもよい。この場合、その対向両側に位置する横枠５の内側部に、前記吊下げ用バー８の両端を設置状態に支持する支持枠部５ｂが一体に形成されている。
【００１５】
前記支持枠部５ｂは、前記対向両側に位置する横枠５の内側部に略Ｌ形の溝状若しくは鉤状に一体に形成されていることが望ましい。
このような形状とすることにより、上記ファイルフォルダ７の吊り下げ用バー８両端の鉤形フック部８ａを支持枠部５ｂ上に安全に載置して保持させることができる。
【考案の効果】
【００１６】
本考案によれば、収納箱本体の開口部四周又は三周が硬質プラスチック若しくは金属製のフレーム枠で枠取りされているため、収納箱本体は型くずれしにくく、しかも、フレーム枠の内側一体化した支持枠部により、ファイルホルダを吊下げ支持しているため、支持強度が高く、耐久性が向上する。またフレーム枠で縁取りされているため、見た目も良いなどの利点がある。
【００１７】
また、フレーム枠を、その横枠及び縦枠のコーナー部を、プラスチック成形品であるコーナー部材により着脱自在に結合して、略口枠形又は略コ枠形に形成させることにより、長手略棒状の横枠体及び縦枠体を所定長さに切断して任意の縦横比で横枠及び縦枠を製造でき、フレーム枠の形成が容易で、寸法変更にも容易に対応できる。また、フレーム枠を構成する上記各部材を分解して運搬収納でき、その運搬も容易で、コンパクトに収納できる。
【考案を実施するための最良の形態】
【００１８】
以下、本考案の最良の形態を添付図面を参照して説明する。図１は本発明に係るファイル収納箱の分解斜視図である。
【００１９】
図において、ファイル収納箱１は、上面開口した長方形の有底角筒形であって、所定の縦横高さ寸法に形成された収納箱本体２と、収納箱本体２の開口部長手方向一側縁に沿って開閉可能に一体化された蓋体３と、収納箱本体２の開口縁に着脱自在に嵌合固定される硬質プラスチック又は金属製（アルミ製）のフレーム枠１０とを備えている。フレーム枠１０は、略棒状の押出成形品よりなる一対の縦枠４と同様の一対の横枠５の端部どうしが、プラスチック成形品よりなる４つのコーナ部材６により、収納箱本体２の開口に沿って、長方形状略口枠形に結合されて構成されている。
【００２０】
前記収納箱本体２の開口縁は、外側又は内側に折返され、この折返し部２ａに前記フレーム枠１０が嵌合される。また、符号２ｃは収納箱本体２の短手方向両側に打抜きによって形成された把手である。
【００２１】
前記蓋体３は、収納箱本体２の長手方向１側縁において、前記折返し部２ａの縁部よりＺ字形をなして立上がる立上げ片２ｂの上縁に筋押し加工によるヒンジ部３ａを介して一体化され、ヒンジ部３ａを折曲げ基部として、前記開口部を開閉可能に覆う前記開口部の縦横寸法より若干大きめの蓋部３ｂと、蓋部３ｂのヒンジ部３ａを除く外側３周囲に折曲げ加工により形成された覆い片３ｃとからなるものである。
【００２２】
前記フレーム枠１０を構成する縦枠４は、収納箱本体２の開口縁長手方向に沿って嵌合されるものであり、また横枠５は、収納箱本体の短手方向に沿って嵌合されるものであり、いずれもアルミの異形押出し成形体からなり、それぞれの縦横寸法に応じた長さにカットされるものである。
【００２３】
図２は、フレーム枠１０を構成する、縦枠４と横枠５及びコーナ部材６との取付関係を示すものである。まず縦枠４は下部開口する断面略コ字形の溝状嵌合部４ａがその長手方向に沿って形成され、嵌合部４ａの内側に収納箱本体２の二重折りの開口縁を挟み込んだ状態に嵌合するものである。
【００２４】
また、横枠５は、前記と同様、下部開口する断面略コ字形の溝状嵌合部５ａの内側に、後述するファイルフォルダ７の吊下げ用バー８のフック部８ａを引掛け係止するための断面略Ｌ字形の支持枠部５ｂを一体化したものである。
【００２５】
コーナ部材６は、合成樹脂射出成形体からなるもので、平面視略直角の折り曲げ形状のブロック材よりなるものである。コーナ部材６の縦横枠４、５との連結端側は、これを挿通し、かつコーナ部材６そのものを収納箱本体の隅角部に嵌合するための下部開口の溝状嵌合部６ａが形成されている。また、上記嵌合部６ａの内側には、スリットを介して連通する前記支持枠５ｂの挿通部６ｂを形成している。
【００２６】
従って、以上のフレーム枠１０を収納箱本体２の開口縁部のそれぞれの位置に嵌合固定した状態では、図３に示すように、開口部は強固に縁取りされ、収納箱本体２の型くずれを防止できるうえ、長手方向両側に直交配置された支持枠部５ｂに、ファイルホルダ７の見開き部に沿って取付けられた前述の吊下げ用バー８の両端フック部８ａを引掛け係止して、ファイルホルダ７を収納箱本体２の内部に吊下げ支持する。また、収納箱本体２の開口部全体が縁取りされるため、見た目も良いものとなる。
【００２７】
なお、前記ファイルホルダ７は、一例としてＢ３の比較的硬質な用紙を二つ折りし、その見開きである上縁部分に沿って、吊下げ用バー８を一体化したものであり、それに応じて前記収納箱本体２の縦横高さ寸法や、フレーム枠４，５の長さ寸法が定められるが、例えばＢ系列でも版の大きさが異なっていたり、Ａ系列の用紙を収容する規格とした場合にはそれに応じた縦横高さ寸法が定められることは言うまでもない。
【００２８】
さらに、蓋体３を閉じた状態では、図４に示すように、収納箱本体２の上面開口は完全に閉じられ、例えばこれを書庫の奥行方向に長手方向を位置させた状態で収納保管し、必要に応じて把手２ｃをもって引出すことにより、簡単に取出すことができる。
【００２９】
図５は、図４の閉蓋状態におけるＡ−Ａ線の部分断面図である。図においてファイルホルダ７に設けた吊り下げ用バー８の、ファイルフォルダ本体７ａの両側から突出するフック部８ａは、前記支持枠部５ｂのＬ形部分に係合し、ファイルホルダ７の荷重はフレーム枠１０を介して、収納箱本体２の全体に伝達され、これによって、部分的なへたりを生ずることなく、長期に亘り、大きな支持強度を得ることができるのである。
【００３０】
また以上に加え、図５の一部に拡大して示すように、前記収納箱本体２を構成する材料は、一対のプラスチック硬質紙２−１の間に発泡樹脂層２−２をサンドイッチ状態に一体化した発泡三層シートを使用しているので、従来の単なる硬質紙単体製のものに比べて耐摩耗性、強度ともに増すとともに、このシートを展開状態から製箱する際には各部の折込み線に沿って加熱による筋押し加工により、簡単に立体造形できるなどの利点がある。
【図面の簡単な説明】
【００３１】
【図１】本考案に係るファイル収納箱の分解斜視図である。
【図２】同ファイル収納箱に用いるフレーム枠のカットモデルの分解斜視図である。
【図３】同ファイル収納箱の組立完成状態とこれに収装されるファイルホルダとの関係を示す斜視図である。
【図４】同ファイル収納箱の閉蓋状態を示す斜視図である。
【図５】図４のＡ−Ａ線における部分断面図及びその一部を拡大して示す断面図である。
【符号の説明】
【００３２】
１  ファイル収納箱
２  収納箱本体
２ａ  折返し部
２ｂ  立上げ部
２ｃ  把手
２−１  硬質紙
２−２  発泡樹脂層
３  蓋体
３ａ  ヒンジ部
３ｂ  蓋部
３ｃ  覆い部
１０  フレーム枠
４    縦枠
５    横枠
４ａ，５ａ  嵌合部
５ｂ  支持枠部
６  コーナ部材
６ａ  嵌合部
６ｂ  支持枠挿通部
７  ファイルフォルダ
７ａ  ファイルフォルダ本体
８  吊下げ用バー
８ａフック部
【図１】
0003121434.tif 000003
【図２】
0003121434.tif 000004
【図３】
0003121434.tif 000005
【図４】
0003121434.tif 000006
【図５】
0003121434.tif 000007